(57)【要約】【課題】マスク領域を設定して人工画像の領域が高画質化処理の影響を受けないようにする際に、画像の品質低下を招くことを防止する。【解決手段】マスク信号生成部１３２は、ＣＰＵ１２１の制御のもと、Ａ領域（人工画像の合成領域より広い領域）を示すマスク信号mask_Aと、Ｂ領域（人工画像の合成領域と同じ領域）を示すマスク信号mask_Bを生成する。鮮鋭度改善処理をマスク信号mask_Aにより制限し、自然画像領域において鮮鋭度改善によるプリオーバ処理が視認されることを防止する。コントラスト改善処理および色改善処理をマスク信号mask_Bにより制限し、自然画像領域において視覚的に処理境界が視認されることを防止する。【選択図】図２
2011048040.tif 000002
【特許請求の範囲】
【請求項１】
自然画像に人工画像が合成された合成画像を表示するための入力映像信号に対して、上記人工画像の合成領域を超える領域の画素に、該合成領域内の画素の影響が及ぶ第１の処理を行う第１の映像信号処理部と、
上記入力映像信号に対して、上記人工画像の合成領域を超える画素に、該合成領域内の画素の影響が及ばない第２の処理を行う第２の映像信号処理部と、
上記第１の映像信号処理部による上記第１の処理を上記人工画像の合成領域より広い第１の領域内で制限し、上記第２の映像信号処理部による上記第２の処理を上記人工画像の合成領域と同じ第２の領域内で制限する処理制限部と
を備える映像信号処理装置。
【請求項２】
上記処理制限部は、上記第１の映像信号処理部による上記第１の処理の制限の度合いを、上記人工画像の合成領域の枠を超えてから上記第１の領域の枠に向かって弱めていく
請求項１に記載の映像信号処理装置。
【請求項３】
上記第１の領域を示す第１のマスク信号と、上記第２の領域を示す第２のマスク信号とを生成するマスク信号生成部をさらに備え、
上記処理制限部は、上記第１の映像信号処理部による上記第１の処理を、上記マスク信号生成部で生成された上記第１のマスク信号に基づいて制限し、上記第２の映像信号処理部による上記第２の処理を、上記マスク信号生成部で生成された上記第２のマスク信号に基づいて制限する
請求項１に記載の映像信号処理装置。
【請求項４】
上記第１の映像信号処理部が行う上記第１の処理は、上記入力映像信号から高域成分を抽出し、該抽出された高域成分を上記入力映像信号に加算する鮮鋭度改善処理である
請求項１に記載の映像信号処理装置。
【請求項５】
上記第２の映像信号処理部が行う上記第２の処理は、上記入力映像信号を構成する輝度信号に対するコントラスト改善処理および上記入力映像信号を構成する色差信号に対する色改善処理である
請求項１に記載の映像信号処理装置。
【請求項６】
上記入力映像信号に基づいて、上記人工画像の合成領域の情報を得る合成領域検出部をさらに備え、
上記処理制限部は、上記合成領域検出部で得られた上記人工画像の合成領域の情報に基づいて、上記第１の映像信号処理部による上記第１の処理を上記人工画像の合成領域より広い第１の領域内で制限し、上記第２の映像信号処理部による上記第２の処理を上記人工画像の合成領域と同じ第２の領域内で制限する
請求項１に記載の映像信号処理装置。
【請求項７】
上記自然画像を表示するための第１の映像信号に上記人工画像を表示するための第２の映像信号を合成して、上記入力映像信号を得る映像信号合成部をさらに備え、
上記処理制限部は、上記映像信号合成部における上記人工画像の合成領域の情報に基づいて、上記第１の映像信号処理部による上記第１の処理を上記人工画像の合成領域より広い第１の領域内で制限し、上記第２の映像信号処理部による上記第２の処理を上記人工画像の合成領域と同じ第２の領域内で制限する
請求項１に記載の映像信号処理装置。
【請求項８】
自然画像に人工画像が合成された合成画像を表示するための入力映像信号に対して、上記人工画像の合成領域を超える領域の画素に、該合成領域内の画素の影響が及ぶ第１の処理を行う第１の映像信号処理ステップと、
上記入力映像信号に対して、上記人工画像の合成領域を超える画素に、該合成領域内の画素の影響が及ばない第２の処理を行う第２の映像信号処理ステップと、
上記第１の映像信号処理ステップによる上記第１の処理を、上記人工画像の合成領域より広い第１の領域内で制限し、上記第２の映像信号処理ステップによる上記第２の処理を、上記人工画像の合成領域と同じ第２の領域内で制限する処理制限ステップと
を備える映像信号処理方法。
【請求項９】
自然画像に人工画像が合成された合成画像を表示するための入力映像信号に対して、上記人工画像の合成領域を超える領域の画素に、該合成領域内の画素の影響が及ぶ第１の処理を行う第１の映像信号処理部と、上記入力映像信号に対して、上記人工画像の合成領域を超える画素に、該合成領域内の画素の影響が及ばない第２の処理を行う第２の映像信号処理部を備える映像信号処理装置を制御するコンピュータを、
上記第１の映像信号処理部による上記第１の処理を上記人工画像の合成領域より広い第１の領域内で制限し、上記第２の映像信号処理部による上記第２の処理を上記人工画像の合成領域と同じ第２の領域内で制限する処理制限手段と
して機能させるプログラム。
【発明の詳細な説明】
【技術分野】
【０００１】
この発明は、映像信号処理装置、映像信号処理方法およびプログラムに関し、特に、自然画像にグラフィックス、文字等の人工画像が合成された合成画像を表示するための映像信号に対して高画質化処理を行う映像信号処理装置等に関する。
【背景技術】
【０００２】
従来、例えば、テレビ受信機において、映像信号に、鮮鋭度改善処理、コントラスト改善処理、色改善処理などの高画質化処理を行うことが知られている。ここで、映像信号が、自然画像にグラフィックス、文字等の人工画像が合成された合成画像を表示するための映像信号である場合、人工画像の領域も高画質化処理の影響を受けて、輝度、色が変動するという不都合があった。
【０００３】
このため、例えば、特許文献１には、人工画像の領域（ＯＳＤの部分）と同じ領域をマスク領域とし、この領域では高画質化処理を行っていない映像信号を出力し、その他の領域では高画質化処理を行った映像信号を出力する、ことが提案されている。この場合、人工画像の領域は、画質化処理の影響を受けず、輝度、色は変動しない。
【先行技術文献】
【特許文献】
【０００４】
【特許文献１】特開２００７−２２８１６７号公報
【発明の概要】
【発明が解決しようとする課題】
【０００５】
しかし、特許文献１に記載の技術では、例えば、高画質化処理が鮮鋭度改善処理である場合、図１３に示すような画像に対して、自然画像領域（人工画像と接する部分）において、図１４に示すように、鮮鋭度改善によるプリオーバ処理が視認されてしまうという不都合がある。この図１４において、破線の矩形枠は、人工画像領域と同じマスク領域を示している。図１５は、鮮鋭度改善処理を概略的に示している。この鮮鋭度改善処理では、入力映像信号（図１５（ａ））から高域成分（図１５（ｂ））が抽出され、この抽出された高域成分が入力映像信号に加算されて、プリシュートとオーバーシュートが付加された出力映像信号（図１５（ｃ））が得られる。
【０００６】
なお、人工画像の領域より広い領域をマスク領域とし、この領域では高画質化処理を行っていない映像信号を出力し、その他の領域では高画質化処理を行った映像信号を出力する、ことも考えられる。この場合、例えば、高画質化処理がコントラスト改善処理、色改善処理である場合、図１６に示すように、視覚的に処理境界が視認され易くなるという不都合がある。この図１６において、破線の矩形枠は、人工画像領域より広いマスク領域を示している。
【０００７】
この発明の目的は、マスク領域を設定して人工画像の領域が高画質化処理の影響を受けないようにする際に、画像の品質低下を招かないようにする、ことにある。
【課題を解決するための手段】
【０００８】
この発明の概念は、
自然画像に人工画像が合成された合成画像を表示するための入力映像信号に対して、上記人工画像の合成領域を超える領域の画素に、該合成領域内の画素の影響が及ぶ第１の処理を行う第１の映像信号処理部と、
上記入力映像信号に対して、上記人工画像の合成領域を超える画素に、該合成領域内の画素の影響が及ばない第２の処理を行う第２の映像信号処理部と、
上記第１の映像信号処理部による上記第１の処理を上記人工画像の合成領域より広い第１の領域内で制限し、上記第２の映像信号処理部による上記第２の処理を上記人工画像の合成領域と同じ第２の領域内で制限する処理制限部と
を備える映像信号処理装置にある。
【０００９】
この発明において、第１の映像信号処理部により、入力映像信号に対して、第１の処理が行われる。この第１の処理は、人工画像の合成領域を超える領域の画素に、この合成領域内の画素の影響が及ぶような処理である。例えば、この第１の処理は、入力映像信号から高域成分を抽出し、この抽出された高域成分を入力映像信号に加算する鮮鋭度改善処理である。
【００１０】
ここで、人工画像の合成領域と同じ領域をマスク領域とし、この領域では鮮鋭度改善処理を行っていない映像信号を出力し、その他の領域では鮮鋭度改善処理を行った映像信号を出力するというように制限した場合、自然画像領域において鮮鋭度改善によるプリオーバ処理が視認されてしまうという不都合が発生する。
【００１１】
そのため、この発明において、処理制限部により、第１の映像信号処理部による第１の処理が人工画像の合成領域より広い第１の領域内で制限される。この場合、例えば、第１の処理が鮮鋭度改善処理であるときに、自然画像領域において鮮鋭度改善によるプリオーバ処理が視認されるという不都合はなくなる。
【００１２】
この発明において、第２の映像信号処理部により、入力映像信号に対して、第２の処理が行われる。この第２の処理は、人工画像の合成領域を超える領域の画素に、この合成領域内の画素の影響が及ばないような処理である。例えば、この第２の処理は、入力映像信号を構成する輝度信号に対するコントラスト改善処理および入力映像信号を構成する色差信号に対する色改善処理である。
【００１３】
ここで、人工画像の合成領域より広い領域をマスク領域とし、この領域ではコントラスト改善処理、色改善処理を行っていない映像信号を出力し、その他の領域ではコントラスト改善処理、色改善処理を行った映像信号を出力するというように制限した場合、視覚的に処理境界が視認され易くなるという不都合がある。
【００１４】
そのため、この発明において、処理制限部により、第２の映像信号処理部による第２の処理が人工画像の合成領域と同じ第２の領域内で制限される。この場合、例えば、第２の処理がコントラスト改善処理、色改善処理であるときに、自然画像領域において視覚的に処理境界が視認されるという不都合はなくなる。
【００１５】
この発明において、例えば、第１の領域を示す第１のマスク信号と、第２の領域を示す第２のマスク信号とを生成するマスク信号生成部をさらに備え、処理制限部は、第１の映像信号処理部による第１の処理を、マスク信号生成部で生成された第１のマスク信号に基づいて制限し、第２の映像信号処理部による第２の処理を、マスク信号生成部で生成された第２のマスク信号に基づいて制限する、ようにしてもよい。
【００１６】
また、この発明において、例えば、入力映像信号に基づいて、人工画像の合成領域の情報を得る合成領域検出部をさらに備え、処理制限部は、合成領域検出部で得られた人工画像の合成領域の情報に基づいて、第１の映像信号処理部による上記第１の処理を人工画像の合成領域より広い第１の領域内で制限し、第２の映像信号処理部による第２の処理を人工画像の合成領域と同じ第２の領域内で制限する、ようにしてもよい。
【００１７】
また、この発明において、例えば、自然画像を表示するための第１の映像信号に人工画像を表示するための第２の映像信号を合成して、入力映像信号を得る映像信号合成部をさらに備え、処理制限部は、映像信号合成部における人工画像の合成領域の情報に基づいて、第１の映像信号処理部による第１の処理を人工画像の合成領域より広い第１の領域内で制限し、第２の映像信号処理部による第２の処理を人工画像の合成領域と同じ第２の領域内で制限する、ようにしてもよい。
【００１８】
また、この発明において、例えば、映像信号処理部は、第１の映像信号処理部による第１の処理の制限の度合いを、人工画像の合成領域の枠を超えてから第１の領域の枠に向かって弱めていく、ようにしてもよい。この場合、第１の領域の枠が第１の処理の処理境界とならないので、この第１の領域の枠が視覚的に処理境界として視認されることを防ぐことができる。
【発明の効果】
【００１９】
この発明によれば、人工画像の合成領域より広い第１の領域および人工画像の合成領域と同じ第２の領域という２つの処理制限領域（マスク領域）を設けて処理を制限しているので、マスク領域を設定して人工画像の領域が高画質化処理の影響を受けないようにする際に画像の品質低下を招くことを回避できる。
【図面の簡単な説明】
【００２０】
【図１】この発明の実施の形態としてのテレビ受信機の構成例を示すブロック図である。
【図２】テレビ受信機を構成する高画質化処理部の構成例を示すブロック図である。
【図３】Ａ領域（人工画像の合成領域より広い領域）およびＢ領域（人工画像の合成領域と同じ領域）を説明するための図である。
【図４】高画質化処理部を構成するマスク信号生成部の構成例を示すブロック図である。
【図５】水平同期信号ＨＤに対する、Ａ領域水平制御信号ｈ＿ｍａｓｋ＿ＡおよびＢ領域水平制御信号ｈ＿ｍａｓｋ＿Ｂの信号変化の一例を示す図である。
【図６】垂直同期信号ＶＤに対する、Ａ領域垂直制御信号ｖ＿ｍａｓｋ＿ＡおよびＢ領域垂直制御信号ｖ＿ｍａｓｋ＿Ｂの信号変化の一例を示す図である。
【図７】人工画像の合成領域より広い領域であるＡ領域で制限される場合の鮮鋭度改善処理を説明するための図である。
【図８】Ａ領域、Ｂ領域の２つの領域で処理制限を行う高画質化処理部を用いた場合の画像表示例を示す図である。
【図９】高画質化処理部における鮮鋭度改善処理に係る各信号の一例を示す図である。
【図１０】テレビ受信機を構成する高画質化処理部の他の構成例を示すブロック図である。
【図１１】高画質化処理部における鮮鋭度改善処理に係る各信号の一例を示す図である。
【図１２】マスク信号ｍａｓｋ＿Ａのマージン領域における変化例を示す図である。
【図１３】自然画像に人工画像が合成された合成画像の一例を示す図である。
【図１４】自然画像に人工画像が合成された合成画像の自然画像領域において、鮮鋭度改善によるプリオーバ処理が視認される画像例を示す図である。
【図１５】鮮鋭度改善処理を説明するための図である。
【図１６】自然画像に人工画像が合成された合成画像の自然画像領域において、コントラスト改善処理、色改善処理の処理境界が視認される画像例を示す図である。
【発明を実施するための形態】
【００２１】
以下、発明を実施するための形態（以下、「実施の形態」とする）について説明する。なお、説明は以下の順序で行う。
１．実施の形態
２．変形例
【００２２】
＜１．実施の形態＞
［テレビ受信機の構成例］
実施の形態としてのテレビ受信機１００の構成例を説明する。図１は、テレビ受信機１００の構成例を示している。このテレビ受信機１００は、アンテナ端子１０１と、デジタルチューナ１０２と、デマルチプレクサ１０３と、映像デコーダ１０４と、ＢＭＬ（Broadcast Markup Language）ブラウザ１０５と、映像信号処理回路１０６を有している。そして、映像信号処理回路１０６は、合成処理部１０７、スイッチ部１０８および高画質化処理部１０９により構成されている。
【００２３】
また、テレビ受信機１００は、ＨＤＭＩ（High-DefinitionMultimedia Interface）端子１１０と、ＨＤＭＩ受信部１１１と、パネル駆動回路１１２と、表示パネル１１３を有している。また、テレビ受信機１００は、音声デコーダ１１４と、スイッチ部１１５と、音声信号処理回路１１６と、音声増幅回路１１７と、スピーカ１１８を有している。
【００２４】
また、テレビ受信機１００は、内部バス１２０と、ＣＰＵ（CentralProcessing Unit）１２１を有している。また、テレビ受信機１００は、フラッシュＲＯＭ（ReadOnly Memory）１２２と、ＤＲＡＭ（Dynamic Random Access Memory）１２３を有している。また、テレビ受信機１００は、リモコン受信部１２５と、リモコン送信機１２６を有している。
【００２５】
アンテナ端子１０１は、受信アンテナ（図示せず）で受信されたテレビ放送信号を入力する端子である。デジタルチューナ１０２は、アンテナ端子１０１に入力されたテレビ放送信号を処理して、ユーザの選択チャネルに対応した所定のトランスポートストリーム（ビットストリームデータ）を出力する。
【００２６】
デマルチプレクサ１０３は、トランスポートストリーム（ＴＳ）からビデオストリーム、オーディオストリーム、データストリームなどを抽出する。この場合、デマルチプレクサ１０３は、トランスポートストリーム内の各ＴＳパケットのヘッダ部に格納されたＰＩＤ（Packet Identification）の値に基づいて、必要なストリームを抽出する。映像デコーダ１０４は、デマルチプレクサ１０３で抽出されたビデオストリームに対して復号処理を施して、ベースバンド（非圧縮）の画像データ（映像信号）を得る。この画像データは、自然画像を表示するための画像データである。
【００２７】
ＢＭＬブラウザ１０５は、デマルチプレクサ１０３で抽出されたデータストリームからＢＭＬデータを取り出し、その構造を解析して、データ放送の画像データ（映像信号）を生成する。この画像データは、グラフィックス、文字等の人工画像を表示するための画像データである。合成処理部１０７は、映像デコーダ１０４で得られた画像データに、ユーザの操作に応じて、ＢＭＬブラウザ１０５で生成されたデータ放送の画像データを合成する。
【００２８】
ＨＤＭＩ端子１１０は、ＨＤＭＩのシンク機器であるテレビ受信機１００にＨＤＭＩのソース機器を接続するための端子である。ＨＤＭＩのソース機器は、例えば、ＤＶＤ（Digital Versatile Disc）レコーダ、ＢＤ（Blu-ray Disc）レコーダ、セットトップボックス（Set Top Box）等である。このＨＤＭＩ端子１１０に、図示しないＨＤＭＩケーブルを介して、ＨＤＭＩのソース機器が接続される。
【００２９】
ＨＤＭＩ受信部１１１は、ＨＤＭＩに準拠した通信により、ＨＤＭＩのソース機器からＨＤＭＩケーブルを介してＨＤＭＩ端子１１０に供給されるベースバンド（非圧縮）の画像と音声のデータを受信する。このＨＤＭＩ受信部１１１で受信される画像データは、自然画像を表示するための画像データ、あるいは自然画像に人工画像が合成された合成画像を表示するための画像データである。この場合の人工画像としては、例えばＨＤＭＩのソース機器におけるメニュー表示画像等がある。
【００３０】
スイッチ部１０８は、ユーザ操作に応じて、合成処理部１０７の出力画像データまたはＨＤＭＩ受信部１１１の受信画像データを選択的に取り出す。この場合、テレビ視聴時には、合成処理部１０７の出力画像データが取り出され、一方、外部入力時には、ＨＤＭＩ受信部１１１の受信画像データが取り出される。
【００３１】
高画質化処理部１０９は、ユーザ操作に応じて、スイッチ部１０８で取り出された画像データに対し、鮮鋭度改善処理、コントラスト改善処理、色改善処理等の画質改善処理を行う。高画質化処理部１０９は、人工画像の合成領域に対応した画像データに対しては画質改善処理の影響が及ばないように処理制限を行う。これにより、画質改善処理によって人工画像の領域の輝度、色が変動しないようにされる。この高画質化処理部１０９の詳細については、後述する。
【００３２】
パネル駆動回路１１２は、高画質化処理部１０９、従って映像信号処理回路１０６から出力される画像データに基づいて、表示パネル１１３を駆動する。表示パネル１１３は、例えば、ＬＣＤ(Liquid Crystal Display)、ＰＤＰ(Plasma DisplayPanel)等で構成される。
【００３３】
音声データ１１４は、デマルチプレクサ１０３で抽出されたオーディオストリームに対して復号処理を施して、ベースバンド（非圧縮）の音声データを得る。スイッチ部１１５は、ユーザ操作に応じて、音声デコーダ１１４の出力音声データまたはＨＤＭＩ受信部１１１の受信音声データを選択的に取り出す。この場合、テレビ視聴時には、音声デコーダ１１４の出力音声データが取り出され、一方、外部入力時には、ＨＤＭＩ受信部１１１の受信音声データが取り出される。
【００３４】
音声信号処理回路１１６は、スイッチ部１１５で取り出された音声データに対し、音質調整処理、Ｄ／Ａ変換等の必要な処理を行う。音質調整処理は、例えば、ユーザの操作に応じて行われる。音声増幅回路１１７は、音声信号処理回路１１６の出力音声信号を増幅してスピーカ１１８に供給する。
【００３５】
ＣＰＵ１２１は、テレビ受信機１００の各部の動作を制御する。フラッシュＲＯＭ１２２は、制御ソフトウェアの格納およびデータの保管を行う。ＤＲＡＭ１２３は、ＣＰＵ１２１のワークエリアを構成する。ＣＰＵ１２１は、フラッシュＲＯＭ１２２から読み出したソフトウェアやデータをＤＲＡＭ１２３上に展開してソフトウェアを起動させ、テレビ受信機１００の各部を制御する。
【００３６】
リモコン受信部１２５は、リモコン送信機１２６から送信されたリモートコントロール信号（リモコンコード）を受信し、ＣＰＵ１２１に供給する。ＣＰＵ１２１は、このリモコンコードに基づいて、テレビ受信機１００の各部を制御する。ＣＰＵ１２１、フラッシュＲＯＭ１２２およびＤＲＡＭ１２３は、内部バス１２０に接続されている。
【００３７】
図１に示すテレビ受信機１００の動作を簡単に説明する。アンテナ端子１０１に入力されたテレビ放送信号はデジタルチューナ１０２に供給される。このデジタルチューナ１０２では、テレビ放送信号が処理されて、ユーザの選択チャネルに対応した所定のトランスポートストリーム（ＴＳ）が得られる。このトランスポートストリームは、デマルチプレクサ１０３に供給される。
【００３８】
デマルチプレクサ１０３では、ビデオストリーム、オーディオストリーム、データストリームなどの必要なストリームが抽出される。このデマルチプレクサ１０３で抽出されたビデオストリームは、映像デコーダ１０４に供給される。この映像デコーダ１０４では、ビデオストリームに対して復号処理が施され、ベースバンド（非圧縮）の画像データが得られる。この画像データは、合成処理部１０７に供給される。
【００３９】
また、デマルチプレクサ１０３で抽出されたデータストリームは、ＢＭＬブラウザ１０５に供給される。このＢＭＬブラウザ１０５では、データストリームからＢＭＬデータが取り出され、その構造が解析されて、データ放送の画像データが生成される。この画像データは、グラフィックス、テキストなどの人工画像を表示するための画像データであり、合成処理部１０７に供給される。この合成処理部１０７では、映像デコーダ１０４で得られた画像データに、ユーザの操作に応じて、ＢＭＬブラウザ１０５で生成されたデータ放送の画像データが合成される。この合成処理部１０７の出力画像データは、スイッチ部１０８に供給される。
【００４０】
また、ＨＤＭＩ受信部１１１では、ＨＤＭＩに準拠した通信により、ＨＤＭＩのソース機器からベースバンド（非圧縮）の画像データおよび音声データが受信される。このＨＤＭＩ受信部１１１の受信画像データは、スイッチ部１０８に供給される。このスイッチ部１０８では、ユーザ操作に応じて、合成処理部１０７の出力画像データまたはＨＤＭＩ受信部１１１の受信画像データが、選択的に取り出される。この場合、テレビ視聴時には、合成処理部１０７の出力画像データが取り出され、一方、外部入力時には、ＨＤＭＩ受信部１１１の受信画像データが取り出される。このスイッチ部１０８の出力画像データは、高画質化処理部１０９に供給される。
【００４１】
高画質化処理部１０９では、ユーザ操作に応じて、スイッチ部１０８で取り出された画像データに対し、鮮鋭度改善処理、コントラスト改善処理、色改善処理等の画質改善処理が行われる。この場合、人工画像の合成領域に対応した画像データに対しては、画質改善処理の影響が及ばないように処理制限が行われる。この高画質化処理部１０９、従って映像信号処理回路１０６の出力画像データは、パネル駆動回路１１２に供給される。そのため、表示パネル１１３には、ＴＶ視聴時には、ユーザの選択チャネルに対応した画像が表示され、外部入力時には、ＨＤＭＩのソース機器からの受信画像が表示される。
【００４２】
また、デマルチプレクサ１０３で抽出されたオーディオストリームは、音声デコーダ１１４に供給される。この音声デコーダ１１４では、オーディオストリームに対して復号処理が施され、ベースバンド（非圧縮）の音声データが得られる。この音声データは、スイッチ部１１５に供給される。
【００４３】
このスイッチ部１１５には、このＨＤＭＩ受信部１１１で受信された画像データも供給される。このスイッチ部１１５では、ユーザ操作に応じて、音声デコーダ１１４の出力音声データまたはＨＤＭＩ受信部１１１の受信音声データが選択的に取り出される。この場合、テレビ視聴時には、音声デコーダ１１４の出力音声データが取り出され、一方、外部入力時には、ＨＤＭＩ受信部１１１の受信音声データが取り出される。このスイッチ部１１５の出力画像データは、音声信号処理回路１１６に供給される。
【００４４】
この音声信号処理回路１１６では、スイッチ部１１５で取り出された音声データに対し、音質調整処理、Ｄ／Ａ変換等の必要な処理が行われる。この音声信号処理回路１１６の出力音声信号は、音声増幅回路１１７で増幅されて、スピーカ１１８に供給される。そのため、スピーカ１１８からは、ＴＶ視聴時には、ユーザの選択チャネルに対応した音声が出力され、外部入力時には、ＨＤＭＩのソース機器からの受信音声が出力される。
【００４５】
［高画質化処理部の詳細］
高画質化処理部１０９の詳細を説明する。図２は、高画質化処理部１０９の構成例を示している。この高画質化処理部１０９は、合成領域検出部１３１と、マスク信号生成部１３２と、コントラスト改善処理部１３３と、スイッチ部１３４と、鮮鋭度改善処理部１３５と、スイッチ部１３６と、加算部１３７を有している。また、この高画質化処理部１０９は、色改善処理部１３８と、スイッチ部１３９と、鮮鋭度改善処理部１４０と、スイッチ部１４１と、加算部１４２を有している。
【００４６】
高画質化処理部１０９には、入力画像データ（入力映像信号）として、輝度データＹinと、色差データＣinが供給される。なお、色差データＣinには、赤色差データおよび青色差データが含まれている。ここでは、説明を簡単にするため、単に、色差データとして説明する。合成領域検出部１３１は、例えば、輝度データＹinに基づいて、自然画像に合成された人工画像の合成領域を検出し、その情報をＣＰＵ１２１に送る。
【００４７】
マスク信号生成部１３２は、ＣＰＵ１２１の制御のもと、マスク信号ｍａｓｋ＿Ａ（第１のマスク信号）と、マスク信号ｍａｓｋ＿Ｂ（第２のマスク信号）を生成する。ここで、マスク信号ｍａｓｋ＿Ａは、図３に示すように、人工画像の合成領域より広い領域（Ａ領域）を示すものとされる。また、マスク信号ｍａｓｋ＿Ｂは、図３に示すように、人工画像の合成領域と同じ領域（Ｂ領域）を示すものとされる。なお、図３には、人工画像の合成領域が一個であるものを示している。マスク信号生成部１３２は、人工画像の合成領域が複数個ある場合、全ての合成領域に対応させてマスク信号ｍａｓｋ＿Ａ，ｍａｓｋ＿Ｂを生成する。
【００４８】
マスク信号生成部１３２は、人工画像の合成領域の情報に基づいて、マスク信号ｍａｓｋ＿Ａ，ｍａｓｋ＿Ｂを生成する。上述したように、ＴＶ視聴時には、スイッチ部１０８で、合成処理部１０７の出力画像データが取り出される。ＣＰＵ１２１は、合成処理部１０７における人工画像（データ放送画像）の合成領域の情報を把握している。そのため、ＴＶ視聴時には、人工画像の合成領域の情報として、ＣＰＵ１２１が把握している合成処理部１０７における人工画像（データ放送画像）の合成領域の情報が使用される。
【００４９】
一方、上述したように、外部入力時には、スイッチ部１０８で、ＨＤＭＩ受信部１１１の受信画像データが取り出される。ＣＰＵ１２１は、この受信画像データにおける人工画像の合成領域の情報を把握していない。そのため、外部入力時には、人工画像の合成領域の情報として、合成領域検出部１３１で検出された人工画像の合成領域の情報が使用される。
【００５０】
図４は、マスク信号生成部１３２の構成例を示している。このマスク信号生成部１３２は、Ａ領域水平マスク生成部１６１と、Ａ領域垂直マスク生成部１６２と、アンド回路１６３を有している。また、このマスク信号生成部１３２は、Ｂ領域水平マスク生成部１６４と、Ｂ領域垂直マスク生成部１６５と、アンド回路１６６を有している。
【００５１】
Ａ領域水平マスク生成部１６１およびＢ領域水平マスク生成部１６４には、画素クロックＣＫが入力される。また、Ａ領域水平マスク生成部１６１、Ａ領域垂直マスク生成部１６２、Ｂ領域水平マスク生成部１６４およびＢ領域垂直マスク生成部１６５には、水平同期信号ＨＤが入力される。また、Ａ領域垂直マスク生成部１６２およびＢ領域垂直マスク生成部１６５には、垂直同期信号ＶＤが入力される。
【００５２】
Ａ領域水平マスク生成部１６１およびＢ領域水平マスク生成部１６４は、水平同期信号ＨＤによりリセットされ、画素クロックＣＫでカウントアップされるカウンタで構成される。そして、Ａ領域水平マスク生成部１６１はＡ領域水平制御信号ｈ＿ｍａｓｋ＿Ａを生成し、Ｂ領域水平マスク生成部１６４はＢ領域水平制御信号ｈ＿ｍａｓｋ＿Ｂを生成する。
【００５３】
図５は、水平同期信号ＨＤに対する、Ａ領域水平制御信号ｈ＿ｍａｓｋ＿ＡおよびＢ領域水平制御信号ｈ＿ｍａｓｋ＿Ｂの信号変化の一例を示している。図５（ａ）は水平同期信号ＨＤを示し、図５（ｂ）はＡ領域水平制御信号ｈ＿ｍａｓｋ＿Ａを示し、図５（ｃ）はＢ領域水平制御信号ｈ＿ｍａｓｋ＿Ｂを示している。
【００５４】
Ａ領域水平制御信号ｈ＿ｍａｓｋ＿Ａは、Ａ領域（水平方向）で「１」となり、その他の領域では「０」となる。同様に、Ｂ領域水平制御信号ｈ＿ｍａｓｋ＿Ｂは、Ｂ領域（水平方向）で「１」となり、その他の領域では「０」となる。この場合、Ｂ領域水平制御信号ｈ＿ｍａｓｋ＿Ｂに対して、Ａ領域水平制御信号ｈ＿ｍａｓｋ＿Ａは水平マージンＷｈを持っている。
【００５５】
Ａ領域垂直マスク生成部１６２およびＢ領域垂直マスク生成部１６５は、垂直同期信号ＶＤよりリセットされ、水平同期信号ＨＤでカウントアップされるカウンタで構成される。そして、Ａ領域垂直マスク生成部１６２はＡ領域垂直制御信号ｖ＿ｍａｓｋ＿Ａを生成し、Ｂ領域垂直マスク生成部１６５はＢ領域垂直制御信号ｖ＿ｍａｓｋ＿Ｂを生成する。
【００５６】
図６は、垂直同期信号ＶＤに対する、Ａ領域垂直制御信号ｖ＿ｍａｓｋ＿ＡおよびＢ領域垂直制御信号ｖ＿ｍａｓｋ＿Ｂの信号変化の一例を示している。図６（ａ）は垂直同期信号ＶＤを示し、図６（ｂ）はＡ領域垂直制御信号ｖ＿ｍａｓｋ＿Ａを示し、図６（ｃ）はＢ領域垂直制御信号ｖ＿ｍａｓｋ＿Ｂを示している。
【００５７】
Ａ領域垂直制御信号ｖ＿ｍａｓｋ＿Ａは、Ａ領域（垂直方向）で「１」となり、その他の領域では「０」となる。同様に、Ｂ領域垂直制御信号ｖ＿ｍａｓｋ＿Ｂは、Ｂ領域（垂直方向）で「１」となり、その他の領域では「０」となる。この場合、Ｂ領域垂直制御信号ｖ＿ｍａｓｋ＿Ｂに対して、Ａ領域垂直制御信号ｖ＿ｍａｓｋ＿Ａは垂直マージンＷｖを持っている。
【００５８】
Ａ領域水平マスク生成部１６１で生成されたＡ領域水平制御信号ｈ＿ｍａｓｋ＿ＡおよびＡ領域垂直マスク生成部１６２で生成されたＡ領域垂直制御信号ｖ＿ｍａｓｋ＿Ａは、アンド回路１６３に入力される。そして、このアンド回路１６３でＡ領域水平制御信号ｈ＿ｍａｓｋ＿ＡおよびＡ領域垂直制御信号ｖ＿ｍａｓｋ＿Ａの論理積がとられ、マスク信号ｍａｓｋ＿Ａ（第１のマスク信号）が出力される。このマスク信号ｍａｓｋ＿Ａは、Ａ領域で「１」となり、その他の領域では「０」となる。
【００５９】
また、Ｂ領域水平マスク生成部１６４で生成されたＢ領域水平制御信号ｈ＿ｍａｓｋ＿ＢおよびＢ領域垂直マスク生成部１６５で生成されたＢ領域垂直制御信号ｖ＿ｍａｓｋ＿Ｂは、アンド回路１６６に入力される。そして、このアンド回路１６６でＢ領域水平制御信号ｈ＿ｍａｓｋ＿ＢおよびＢ領域垂直制御信号ｖ＿ｍａｓｋ＿Ｂの論理積がとられ、マスク信号ｍａｓｋ＿Ｂ（第２のマスク信号）が出力される。このマスク信号ｍａｓｋ＿Ｂは、Ｂ領域で「１」となり、その他の領域では「０」となる。
【００６０】
この実施の形態において、マスク信号ｍａｓｋ＿Ｂは、後述するようにコントラスト改善処理および色改善処理のマスク信号として使用される。そのため、Ｂ領域は、上述したように、人工画像の合成領域と同じ領域に設定すると好適である。また、この実施の形態において、マスク信号ｍａｓｋ＿Ａは、鮮鋭度改善処理のマスク信号として使用される。そのため、人工画像の合成領域に対する領域Ａの水平方向のマージンＷｈおよび垂直方向のマージンＷｖは、それぞれ、２画素程度に設定すると好適である。これらのマージン量が大きすぎると表示処理領域が目立ちすぎ、また、小さすぎるとエッジが強調されてしまい画質劣化につながる。
【００６１】
図２に戻って、コントラスト改善処理部１３３は、入力輝度データＹinに対し、従来周知のヒストグラム均等化法等により輝度改善処理を行う。ヒストグラム均等化法は、入力画像の画素値の頻度分布に応じてレベル変換関数を適応的に変化させる方法であり、画素値の頻度分布の低い部分の階調を低減することにより階調を補正する方法である。
【００６２】
スイッチ部１３４は、マスク信号生成部１３２で生成されたマスク信号ｍａｓｋ＿Ｂに基づいて、入力輝度データＹinまたはコントラスト改善処理部１３３の出力輝度データＹａを選択的に取り出す。すなわち、このスイッチ部１３４は、マスク信号ｍａｓｋ＿Ｂが「１」となる上述のＢ領域（人工画像の合成領域と同じ領域）では、入力輝度データＹinを選択し、マスク信号ｍａｓｋ＿Ｂが「０」となる他の領域では、出力輝度データＹａを選択する。高画質化処理部１０９においては、このようなスイッチ部１３４の選択動作により、Ｂ領域では、コントラスト改善処理が制限されることとなる。すなわち、この実施の形態においては、Ｂ領域ではコントラスト改善処理は行われない。
【００６３】
鮮鋭度改善処理部１３５は、入力輝度データＹinから、高域成分Ｙｈを抽出する。この高域成分Ｙｈには、水平方向の高域成分と垂直方向の高域成分の双方が含まれる。鮮鋭度改善処理部１３５は、従来周知のように、画素遅延素子を用いて構成された水平方向のハイパスフィルタにより水平方向の高域成分を抽出する。また、鮮鋭度改善処理部１３５は、従来周知のように、ライン遅延素子を用いて構成された垂直方向のハイパスフィルタにより垂直方向の高域成分を抽出する。
【００６４】
スイッチ部１３６は、マスク信号生成部１３２で生成されたマスク信号ｍａｓｋ＿Ａに基づいて、鮮鋭度改善処理部１３５の出力高域成分Ｙｈまたは“０”を選択的に取り出す。すなわち、このスイッチ部１３６は、マスク信号ｍａｓｋ＿Ａが「１」となる上述のＡ領域（人工画像の合成領域より広い領域）では、“０”を選択し、マスク信号ｍａｓｋ＿Ａが「０」となる他の領域では、出力高域成分Ｙｈを選択する。
【００６５】
加算部１３７は、スイッチ部１３４の出力輝度データＹｂに、スイッチ部１３６の出力データを加算して、出力輝度データＹoutを得る。高画質化処理部１０９においては、上述したようなスイッチ部１３６の選択動作により、Ａ領域では、入力輝度データＹinに対する鮮鋭度改善処理が制限されることとなる。すなわち、この実施の形態においては、Ａ領域では入力輝度データＹinに対する鮮鋭度改善処理は行われない。
【００６６】
色改善処理部１３８は、入力色差データＣinに対し、表示画像を鮮やかにするため、色ゲインを１よりも大きくする等の色改善処理を施す。スイッチ部１３９は、マスク信号生成部１３２で生成されたマスク信号ｍａｓｋ＿Ｂに基づいて、入力色差データＣinまたは色改善処理部１３８の出力色差データＣａを選択的に取り出す。すなわち、このスイッチ部１３９は、マスク信号ｍａｓｋ＿Ｂが「１」となる上述のＢ領域（人工画像の合成領域と同じ領域）に対応した期間では、入力色差データＣinを選択し、マスク信号ｍａｓｋ＿Ｂが「０」では、出力色差データＣａを選択する。高画質化処理部１０９においては、このようなスイッチ部１３９の選択動作により、Ｂ領域では、色改善処理が制限されることとなる。すなわち、この実施の形態においては、Ｂ領域では色改善処理は行われない。
【００６７】
鮮鋭度改善処理部１４０は、入力色差データＣinから、高域成分Ｃｈを抽出する。この高域成分Ｃｈには、水平方向の高域成分と垂直方向の高域成分の双方が含まれる。鮮鋭度改善処理部１４０は、従来周知のように、画素遅延素子を用いて構成された水平方向のハイパスフィルタにより水平方向の高域成分を抽出する。また、鮮鋭度改善処理部１４０は、従来周知のように、ライン遅延素子を用いて構成された垂直方向のハイパスフィルタにより垂直方向の高域成分を抽出する。
【００６８】
スイッチ部１４１は、マスク信号生成部１３２で生成されたマスク信号ｍａｓｋ＿Ａに基づいて、鮮鋭度改善処理部１４０の出力高域成分Ｃｈまたは“０”を選択的に取り出す。すなわち、このスイッチ部１４１は、マスク信号ｍａｓｋ＿Ａが「１」となる上述のＡ領域（人工画像の合成領域より広い領域）では、“０”を選択し、マスク信号ｍａｓｋ＿Ａが「０」となる他の領域では、出力高域成分Ｃｈを選択する。
【００６９】
加算部１４２は、スイッチ部１３９の出力輝度データＣｂに、スイッチ部１４１の出力データを加算して、出力色差データＣoutを得る。高画質化処理部１０９においては、上述したようなスイッチ部１４１の選択動作により、Ａ領域では、入力色差データＣinに対する鮮鋭度改善処理が制限されることとなる。すなわち、この実施の形態においては、Ａ領域では入力色差データＣinに対する鮮鋭度改善処理は行われない。
【００７０】
図２に示す高画質化処理部１０９の動作を説明する。入力画像データを構成する輝度データＹinは、合成領域検出部１３１に供給される。この合成領域検出部１３１では、輝度データＹinに基づいて、自然画像に合成された人工画像の合成領域が検出される。このように合成領域検出部１３１で検出された合成領域の情報はＣＰＵ１２１に送られる。
【００７１】
また、マスク信号生成部１３２では、ＣＰＵ１２１の制御のもと、マスク信号ｍａｓｋ＿Ａ（第１のマスク信号）と、マスク信号ｍａｓｋ＿Ｂ（第２のマスク信号）が生成される。この場合、マスク信号ｍａｓｋ＿Ａは、人工画像の合成領域より広い領域（Ａ領域）を示すものとされ、マスク信号ｍａｓｋ＿Ｂは、人工画像の合成領域と同じ領域（Ｂ領域）を示すものとされる（図３参照）。
【００７２】
また、入力画像データを構成する輝度データＹinは、コントラススト改善処理部１３３に供給される。このコントラスト改善処理部１３３では、入力輝度データＹinに対して、ヒストグラム均等化法等の輝度改善処理が施される。
【００７３】
この輝度改善処理部１３３の出力輝度データＹaは、スイッチ部１３４に供給される。また、このスイッチ部１３４には、入力輝度データＹinが供給される。さらに、このスイッチ部１３４には、マスク信号生成部１３２で生成されたマスク信号ｍａｓｋ＿Ｂが、スイッチ制御信号として供給される。
【００７４】
このスイッチ部１３４では、マスク信号ｍａｓｋ＿Ｂに基づいて、入力輝度データＹinまたはコントラスト改善処理部１３３の出力輝度データＹａが選択的に取り出される。すなわち、このスイッチ部１３４では、マスク信号ｍａｓｋ＿Ｂが「１」となる上述のＢ領域（人工画像の合成領域と同じ領域）では入力輝度データＹinが取り出され、一方、マスク信号ｍａｓｋ＿Ｂが「０」となる他の領域では出力輝度データＹａが取り出される。
【００７５】
また、入力画像データを構成する輝度データＹinは、鮮鋭度改善処理部１３５に供給される。この鮮鋭度改善処理部１３５では、入力輝度データＹinから、高域成分Ｙｈが抽出される。この高域成分Ｙｈには、水平方向の高域成分と垂直方向の高域成分の双方が含まれる。この鮮鋭度改善処理部１３５の出力高域成分Ｙｈは、スイッチ部１３６に供給される。また、このスイッチ部１３６には、“０”のデータが供給される。さらに、このスイッチ部１３６には、マスク信号生成部１３２で生成されたマスク信号ｍａｓｋ＿Ａが、スイッチ制御信号として供給される。
【００７６】
このスイッチ部１３６では、マスク信号ｍａｓｋ＿Ａに基づいて、鮮鋭度改善処理部１３５の出力高域成分Ｙｈまたは“０”が選択的に取り出される。すなわち、このスイッチ部１３６では、マスク信号ｍａｓｋ＿Ａが「１」となる上述のＡ領域（人工画像の合成領域より広い領域）では“０”が取り出され、マスク信号ｍａｓｋ＿Ａが「０」となる他の領域では出力高域成分Ｙｈが取り出される。
【００７７】
このスイッチ部１３６の出力データは、加算部１３７に供給される。また、この加算部１３７には、スイッチ部１３４の出力輝度データＹｂが供給される。そして、加算部１３７では、スイッチ部１３４の出力輝度データＹｂに、スイッチ部１３６の出力データが加算されて、出力輝度データＹoutが得られる。
【００７８】
上述したように、スイッチ部１３４はマスク信号ｍａｓｋ＿Ｂにより制御され、Ｂ領域に対応した期間では入力輝度データＹinが取り出され、他の期間では出力輝度データＹａが取り出される。そのため、出力輝度データＹoutは、Ｂ領域（人工画像の合成領域と同じ領域）では、コントラスト改善処理が制限された、つまりコントラスト改善処理が行われていないものとなる。換言すると、この輝度データＹoutは、Ｂ領域を除く領域でのみコントラスト改善処理が施されたものとなる。
【００７９】
また、スイッチ部１３６はマスク信号ｍａｓｋ＿Ａにより制御され、Ａ領域では“０”が取り出され、他の領域では出力高域成分Ｙｈが取り出される。そのため、加算部１３７では、Ａ領域において、スイッチ部１３４の出力輝度データＹｂに出力高域成分Ｙｈは加算されない。そのため、出力輝度データＹoutは、Ａ領域（人工画像の合成領域より広い領域）では、鮮鋭度改善処理が制限された、つまり鮮鋭度改善処理が行われていないものとなる。換言すると、この出力輝度データＹoutは、Ａ領域を除く領域でのみ鮮鋭度改善処理が施されたものとなる。
【００８０】
また、入力画像データを構成する色差データＣinは、色改善処理部１３８に供給される。この色改善処理部１３８では、入力輝度データＣinに対して、表示画像を鮮やかにするため、色ゲインを１よりも大きくする等の色改善処理が施される。この色改善処理部１３８の出力色差データＣaは、スイッチ部１３９に供給される。また、このスイッチ部１３９には、入力色差データＣinが供給される。さらに、このスイッチ部１３９には、マスク信号生成部１３２で生成されたマスク信号ｍａｓｋ＿Ｂが、スイッチ制御信号として供給される。
【００８１】
このスイッチ部１３９では、マスク信号ｍａｓｋ＿Ｂに基づいて、入力色差データＣinまたは色改善処理部１３８の出力色差データＣａが選択的に取り出される。すなわち、このスイッチ部１３９では、マスク信号ｍａｓｋ＿Ｂが「１」となる上述のＢ領域（人工画像の合成領域と同じ領域）では入力色差データＣinが取り出され、一方、マスク信号ｍａｓｋ＿Ｂが「０」となる他の領域では出力色差データＣａが取り出される。
【００８２】
また、入力画像データを構成する色差データＣinは、鮮鋭度改善処理部１４０に供給される。この鮮鋭度改善処理部１４０では、入力色差データＣinから、高域成分Ｃｈが抽出される。この高域成分Ｃｈには、水平方向の高域成分と垂直方向の高域成分の双方が含まれる。この鮮鋭度改善処理部１４０の出力高域成分Ｃｈは、スイッチ部１４１に供給される。また、このスイッチ部１４１には、“０”のデータが供給される。さらに、このスイッチ部１４１には、マスク信号生成部１３２で生成されたマスク信号ｍａｓｋ＿Ａが、スイッチ制御信号として供給される。
【００８３】
このスイッチ部１４１では、マスク信号ｍａｓｋ＿Ａに基づいて、鮮鋭度改善処理部１４０の出力高域成分Ｃｈまたは“０”が選択的に取り出される。すなわち、このスイッチ部１４１では、マスク信号ｍａｓｋ＿Ａが「１」となる上述のＡ領域（人工画像の合成領域より広い領域）では“０”が取り出され、マスク信号ｍａｓｋ＿Ａが「０」となる他の領域では出力高域成分Ｃｈが取り出される。
【００８４】
このスイッチ部１４１の出力データは、加算部１４２に供給される。また、この加算部１４２には、スイッチ部１３９の出力色差データＣｂが供給される。そして、加算部１４２では、スイッチ部１３９の出力色差データＣｂに、スイッチ部１４１の出力データが加算されて、出力色差データＣoutが得られる。
【００８５】
上述したように、スイッチ部１３８はマスク信号ｍａｓｋ＿Ｂにより制御され、Ｂ領域に対応した期間では入力色差データＣinが取り出され、他の期間では出力色差データＣａが取り出される。そのため、出力色差データＣoutは、Ｂ領域（人工画像の合成領域と同じ領域）では、色改善処理が制限された、つまり色改善処理が行われていないものとなる。換言すると、この出力色差データＣoutは、Ｂ領域を除く領域でのみコントラスト改善処理が施されたものとなる。
【００８６】
また、スイッチ部１４１はマスク信号ｍａｓｋ＿Ａにより制御され、Ａ領域に対応した期間では“０”が取り出され、他の期間では出力高域成分Ｃｈが取り出される。そのため、加算部１４２では、Ａ領域に対応した期間において、スイッチ部１３９の出力色差データＣｂに出力高域成分Ｃｈは加算されない。そのため、出力色差データＣoutは、Ａ領域（人工画像の合成領域より広い領域）では、鮮鋭度改善処理が制限された、つまり鮮鋭度改善処理が行われていないものとなる。換言すると、この出力色差データＣoutは、Ａ領域を除く領域でのみ鮮鋭度改善処理が施されたものとなる。
【００８７】
上述の図２に示す高画質化処理部１０９において、コントラスト改善処理および色改善処理は、人工画像の合成領域と同じ領域であるＢ領域で制限される。そのため、コントラスト改善処理および色改善処理において、人工画像の輝度、色は変動しない。また、自然画像領域において視覚的に処理境界が視認されるという不都合はなくなる。
【００８８】
また、上述の図２に示す高画質化処理部１０９において、鮮鋭度改善処理は、人工画像の合成領域より広い領域であるＡ領域で制限される。そのため、自然画像領域において鮮鋭度改善によるプリオーバ処理が視認されるという不都合はなくなる。この鮮鋭度改善処理において、人工画像の輝度は変動しない。例えば、図７（ａ）は原信号の一例を示し、図７（ｂ）は、この原信号から抽出された高域成分を示している。人工画像の合成領域より広いＡ領域では鮮鋭度改善は行われないで、原信号に高域成分は加算されず、出力信号は、図７（ｃ）に示すようになる。したがって、自然画像領域において鮮鋭度改善によるプリオーバ処理が視認されるということがない。
【００８９】
このように、図２に示す高画質化処理部１０９によれば、自然画像領域において視覚的にコントラスト改善処理および色改善処理の処理境界が視認されず、また、自然画像領域において鮮鋭度改善によるプリオーバ処理も視認されない。図８は、図２に示す高画質化処理部１０９を用いた場合の画像表示例を示している。
【００９０】
＜２．変形例＞
なお、上述の図２に示す高画質化処理部１０９において、鮮鋭度改善処理は、人工画像の合成領域より広い領域であるＡ領域で制限される。つまり、この高画質化処理部１０９では、この領域Ａ内では鮮鋭度改善処理は行われない。
【００９１】
図９は、図２に示す高画質化処理部１０９における鮮鋭度改善処理に係る各信号の一例を示している。図９（ｂ）は原信号を示し、図９（ａ）はその原信号から抽出された高域成分を示している。また、図９（ｃ）はマスク信号ｍａｓｋ＿Ａを示し、図９（ｄ）は出力信号を示している。
【００９２】
この図９から明らかなように、自然画像領域において、人工画像の合成領域の枠とＡ領域の枠との間のマージンＷ（ＷｈまたはＷｖ）の領域では、鮮鋭度改善処理が全く行われておらず、Ａ領域の枠の外側でのみ鮮鋭度改善処理が行われる。そのため、マージンＷの領域が大きい場合には、鮮鋭度改善処理の処理境界が視認されてしまう場合が考えられる。
【００９３】
図１０は、図２に示す高画質化処理部１０９の変形例としての高画質化処理部１０９Ａを示している。この図１０において、図２と対応する部分には同一符号を付し、適宜、その詳細説明は省略する。
【００９４】
マスク信号生成部１３２Ａは、人工画像の合成領域の情報に基づいて、マスク信号ｍａｓｋ＿Ａ′，ｍａｓｋ＿Ｂを生成する。ここで、マスク信号ｍａｓｋ＿Ｂは、図２の高画質化処理部１０９のマスク信号生成部１３２で生成されるマスク信号ｍａｓｋ＿Ｂと同じである。このマスク信号ｍａｓｋ＿Ｂは、Ｂ領域（人工画像の合成領域と同じ領域）で「１」となり、その他の領域では「０」となる。
【００９５】
一方、マスク信号ｍａｓｋ＿Ａ′は、図２の高画質化処理部１０９のマスク信号生成部１３２で生成されるマスク信号ｍａｓｋ＿Ａとは異なる。このマスク信号ｍａｓｋ＿Ａ′は、人工画像の合成領域で「０」となり、Ａ領域（人工画像の合成領域より広い領域）を超える領域で「１」となる。さらに、人工画像の合成領域の枠からＡ領域の枠までのマージンＷの領域では、図１１（ｃ）に示すように、「０」から「１」まで変化する。なお、この変化は、図１２の実線ａに示すような線形変化の他に、図１２の実線ｂに示すように放物線状に変化させてもよい。
【００９６】
乗算部１５１は、鮮鋭度改善処理部１３５の出力高域成分Ｙｈに、マスク信号生成部１３２Ａで生成されたマスク信号ｍａｓｋ＿Ａ′を掛ける。この場合、人工画像の合成領域内では、乗算部１５１の出力は０となる。つまり、この人工画像の合成領域内では、乗算部１５１の出力として、鮮鋭度改善処理部１３５の出力高域成分Ｙｈは全く出力されない。
【００９７】
また、Ａ領域の枠を超える領域では、乗算部１５１の出力として、鮮鋭度改善処理部１３５の出力高域成分Ｙｈがそのまま出力される。さらに、人工画像の合成領域の枠を超えてからＡ領域の枠まで、乗算部１５１の出力としての高域成分は、０からＹｈまで徐々に強められていく。
【００９８】
加算部１３７は、スイッチ部１３４の出力輝度データＹｂに、乗算部１５１の出力データを加算して、出力輝度データＹoutを得る。この高画質化処理部１０９Ａにおいては、上述したような乗算部１５１の乗算動作により、人工画像の合成領域の枠とＡ領域の枠との間のマージンＷ（ＷｈまたはＷｖ）の領域でも、入力輝度データＹinに対して鮮鋭度改善処理が行われる。ただし、人工画像の合成領域の枠を超えてからＡ領域の枠に向かって、入力輝度データＹinに対する鮮鋭度改善処理の制限が弱められていく。
【００９９】
また、乗算部１５２は、鮮鋭度改善処理部１４０の出力高域成分Ｃｈに、マスク信号生成部１３２Ａで生成されたマスク信号ｍａｓｋ＿Ａ′を掛ける。この場合、人工画像の合成領域内では、乗算部１５２の出力は０となる。つまり、この人工画像の合成領域内では、乗算部１５２の出力として、鮮鋭度改善処理部１４０の出力高域成分Ｃｈは全く出力されない。
【０１００】
また、領域Ａの枠を超える領域では、乗算部１５２の出力として、鮮鋭度改善処理部１４０の出力高域成分Ｃｈがそのまま出力される。さらに、人工画像の合成領域の枠を超えてからＡ領域の枠まで、乗算部１５２の出力としての高域成分は、０からＣｈまで徐々に強められていく。
【０１０１】
加算部１４２は、スイッチ部１３９の出力色差データＣｂに、乗算部１５２の出力データを加算して、出力色差データＣoutを得る。この高画質化処理部１０９Ａにおいては、上述したような乗算部１５２の乗算動作により、人工画像の合成領域の枠とＡ領域の枠との間のマージンＷ（ＷｈまたはＷｖ）の領域でも、入力色差データＣinに対して鮮鋭度改善処理が行われる。ただし、人工画像の合成領域の枠を超えてからＡ領域の枠に向かって、入力色差データＣinに対する鮮鋭度改善処理の制限が弱められていく。
【０１０２】
上述したように、図１０に示す高画質化処理部１０９Ａにおいては、Ａ領域内のマージン領域においても鮮鋭度改善処理が行われ、Ａ領域を超える領域でのみ鮮鋭度改善処理が行われるものではない。しかも、図１０に示す高画質化処理部１０９Ａにおいては、人工画像の合成領域の枠を超えてからＡ領域の枠に向かって、入力色差データＣinに対する鮮鋭度改善処理の制限が弱められていく。したがって、マージンＷの領域が大きい場合であっても、鮮鋭度改善処理の処理境界が視認されてしまうことが防止される。
【０１０３】
図１１は、図１０に示す高画質化処理部１０９における鮮鋭度改善処理に係る各信号の一例を示している。図１１（ｂ）は原信号を示し、図１１（ａ）はその原信号から抽出された高域成分を示している。また、図１１（ｃ）は上述したようにマスク信号ｍａｓｋ＿Ａ′を示し、図１１（ｄ）は出力信号を示している。
【０１０４】
なお、詳細説明は省略するが、図１０に示す高画質化処理部１０９Ａのその他は、図２に示す高画質化処理部１０９と同様に構成され、同様の効果を得ることができる。
【０１０５】
また、上述実施の形態において、領域Ａの大きさが固定であるように説明した。しかし、この領域Ａの大きさを自然画像の画像品質に応じて変化させることも考えられる。この場合、例えば、図２に示す高画質化処理部１０２に、入力輝度データＹinに基づいて自然画像領域の高域成分を抽出する高域成分抽出部を設け、そのレベル情報をＣＰＵ１２１に送る。
【０１０６】
ＣＰＵ１２１は、その高域成分のレベル情報に基づいて、マージンＷ（Ｗｈ，Ｗｖ）の大きさを制御する。例えば、高域成分が多いほど鮮鋭度改善処理がされた領域とそうでない領域とが視覚的に視認され易くなる。そのため、高域成分の多い自然画像の場合には、マージンＷ（Ｗｈ，Ｗｖ）の大きさが小さくされる。
【０１０７】
また、上述の図２、図１０に示す高画質化処理部１０９，１０９Ａでは、ＣＰＵ１２１の制御のもと、マスク信号生成部１３２，１３２Ａでマスク信号を生成し、このマスク信号により処理の制限が行われている。しかし、このマスク信号を用いた処理制限の代わりに、例えば、ＣＰＵ１２１自体が、直接各処理を各領域に合わせて制限する構成も考えられる。これにより、高画質化処理部のハードウェア構成を簡単にできる。
【０１０８】
また、上述実施の形態においては、領域Ｂ（人工画像の合成領域と同じ領域）で処理制限を行う処理として、コントラスト改善処理および色改善処理を示したが、これに限定されるものではない。一般的に、領域Ｂで処理制限を行うべき処理は、人工画像の合成領域を超える領域の画素に、この合成領域内の画素の影響が及ばないような処理である。
【０１０９】
また、上述実施の形態に領域Ａ（人工画像の合成領域より広い領域）で処理制限を行う処理として、鮮鋭度改善処理を示したが、これに限定されるものではない。一般的に、領域Ａで処理制限を行うべき処理は、人工画像の合成領域を超える領域の画素に、この合成領域内の画素の影響が及ぶような処理である。
【産業上の利用可能性】
【０１１０】
この発明は、データ放送画像、メニュー画像等の人工画像の領域が高画質化処理の影響を受けないようにその領域にマスク領域を設定して処理制限を行うテレビ受信機などに適用できる。
【符号の説明】
【０１１１】
１００・・・テレビ受信機、１０１・・・アンテナ端子、１０２・・・デジタルチューナ、１０３・・・デマルチプレクサ、１０４・・・映像デコーダ、１０５・・・ＢＭＬブラウザ、１０６・・・映像信号処理回路、１０７・・・合成処理部、１０８・・・スイッチ部、１０９，１０９Ａ・・・高画質化処理部、１１０・・・ＨＤＭＩ端子、１１１・・・ＨＤＭＩ受信部、１１２・・・パネル駆動回路、１１３・・・表示パネル、１１４・・・音声デコーダ、１１５・・・スイッチ部、１１６・・・音声信号処理回路、１１７・・・音声増幅回路、１１８・・・スピーカ、１２０・・・内部バス、１２１・・・ＣＰＵ、１２２・・・フラッシュＲＯＭ、１２３・・・ＤＲＡＭ、１２５・・・リモコン受信部、１２６・・・リモコン送信機、１３１・・・合成領域検出部、１３２，１３２Ａ・・・マスク信号生成部、１３３・・・コントラスト改善処理部、１３４・・・スイッチ部、１３５・・・鮮鋭度改善処理部、１３６・・・スイッチ部、１３７・・・加算部、１３８・・・色改善処理部、１３９・・・スイッチ部、１４０・・・鮮鋭度改善処理部、１４１・・・スイッチ部、１４２・・・加算部、１５１，１５２・・・乗算部
【図１】
2011048040.tif 000003
【図２】
2011048040.tif 000004
【図３】
2011048040.tif 000005
【図４】
2011048040.tif 000006
【図５】
2011048040.tif 000007
【図６】
2011048040.tif 000008
【図７】
2011048040.tif 000009
【図９】
2011048040.tif 000010
【図１０】
2011048040.tif 000011
【図１１】
2011048040.tif 000012
【図１２】
2011048040.tif 000013
【図１５】
2011048040.tif 000014
【図８】
2011048040.tif 000015
【図１３】
2011048040.tif 000016
【図１４】
2011048040.tif 000017
【図１６】
2011048040.tif 000018